(57)【要約】      （修正有）【課題】風がリブを簡単に上向きに折り曲げることに耐える傘を提供する。【解決手段】シャフト２０、シャフト２０に移動可能に係合された複数のリブ４０、およびリブ４０に取り付けられ、外周部と内面とを持つ傘地３０、さらに、前記外周部に隣接した位置で前記傘地の前記内面に動作可能に関連付けられたループ形状の補強部材１００を持つ傘である。傘が開かれたときに、補強部材１００が傘地３０をリブ４０に逆らって引っ張るよう、前記ループは前記外周部よりも小さくし、補強部材１００は風による上向きの力に対してリブ４０を補強してリブ４０が上向きに折れ曲がることに耐えるようにした。【選択図】図１
2007236944.tif 000002
【特許請求の範囲】
【請求項１】
シャフト、前記シャフトに移動可能に係合された複数のリブ、および前記リブに取り付けられ、外周部と内面とを有する傘地を備える傘であって、
前記外周部に隣接した位置で前記傘地の前記内面に動作可能に関連付けられたループ形状の補強部材であって、前記傘が開かれたときに前記傘地を前記リブに逆らって引っ張るよう、前記ループは前記外周部よりも小さい補強部材をさらに備え、
これにより前記補強部材は風による上向きの力に対してリブを補強し、リブが上向きに折れ曲がることに耐えることを特徴とする傘。
【請求項２】
前記外周部に隣接する位置で前記傘地の前記内面に取り付けられた第１の端部と、傘が開かれたときに前記補強部材を保持するための第２の端部とを持つ接続部材をさらに備えることを特徴とする、請求項１に記載の傘。
【請求項３】
前記接続部材は前記傘が開かれたときに前記シャフトに隣接して実質的に直角を形成することを特徴とする、請求項２に記載の傘。
【請求項４】
前記接続部材は前記補強部材を受容するために前記第２の端部でチャネルを形成している布地片であることを特徴とする、請求項２に記載の傘。
【請求項５】
前記接続部材は前記補強部材を受容するために管状の布地片であることを特徴とする、請求項２に記載の傘。
【請求項６】
前記補強部材は柔軟なコードであることを特徴とする、請求項１に記載の傘。
【発明の詳細な説明】
【技術分野】
【０００１】
本発明は概して傘に関する。
【背景技術】
【０００２】
ほとんどの傘、特に折りたたみ傘は、傘地の内面に強風によって過度の圧力が加わると簡単に折り曲げられてしまう。いくつかの傘は柔軟な材料からなるリブを使用して風の進路を変えさせるか、または耐風用に設計されたリブ構造を使用している。かかる傘の欠点は、既存のリブ構造に改変が加えられていることであり、これにより通常、生産コストが著しく高くなることである。
【０００３】
中華人民共和国特許公報第ＣＮ１２６４５６０Ａ号は、風がリブに大きな圧力をかけることなく傘地を通過できるよう、傘地に開口部を有する傘を開示している。開口部はいくらかの遮蔽布地で覆われてはいるものの、大雨の場合は、やはり雨が開口部から簡単に入り、使用者を濡らす。
【発明の概要】
【０００４】
本発明の目的は、風がリブを簡単に上向きに折り曲げることに耐える傘を提供することである。
【０００５】
本発明の傘は、シャフトと、シャフトに移動可能に係合された複数のリブと、および前記リブに取り付けられた外周部と内面とを有する傘地と、さらに、外周部に隣接した位置で前記傘地の内面に動作可能に関連付けられたループ形状の補強部材とを備える。ループは傘地の外周部よりも小さく、傘が開かれときに補強部材が傘地をリブに逆らって引っ張るようになる。補強部材は風による上向きの力に対してリブを補強し、リブが上向きに折れ曲がることに耐える。
【０００６】
補強部材は、好ましくは、接続部材によって傘地の内面に取り付けられる。接続部材は傘地の外周部に隣接した位置で傘地に取り付けられている第１の端部と、傘が開かれたときに補強部材を保持するための第２の端部とを有する。
【０００７】
本発明は折りたたみ式でも折りたたみ式でなくても傘の既存のリブ構造を改変することなくいかなる従来の傘にも適用可能である。
【実施例】
【０００８】
図１に示すように、従来の傘１０はシャフト２０、傘地３０、および傘地３０を支持するための複数のリブ４０を備えている。リブ４０は、傘を開閉するため、シャフト２０に移動可能に係合している。リブ４０は、傘地３０の内面３２に取り付けるためのメインリブ４２、およびメインリブ４２を広げるための分岐リブ４４を備えてよい。分岐リブ４４はそれらの一端を、シャフト２０に沿ってスライド可能なカラー５０に取り付け、他端をメインリブ４２に取り付けてよい。
【０００９】
傘１０は折りたたみ傘であってもよい。この場合、メインリブ４２は折りたたみ可能であってよく、シャフト２０は使用していないときに傘１０を折りたたむために伸縮自在であってよい。
【００１０】
傘１０が開かれると、風によって必要以上の圧力が傘地３０の内面３２に加わり、メインリブ４２を上向きに折り曲げる。図１、図２、および図３に図示される実施態様では、補強部材１００を使用してメインリブ４２が補強されている。補強部材１００は、傘１０が開かれた場合の傘地３０の外周部３４よりも小さいループ形状の柔軟なコードであり得る。例として、補強部材１００のためのコードはナイロン製である。必要であれば、多数のコードを適用して補強部材１００を強化してよい。
【００１１】
補強部材１００は接続部材２００によって傘地３０の内面３２に外周部３４に隣接して取り付けられる。接続部材２００は第１の端部２１０において傘地部３５にそれぞれ取り付けられる多数の布地片であり得る。チャネル２３０を第２の端部２２０に、例えば、第２の端部２２０付近で布地を縫い付けることによって、補強部材１００を受容させるように形成する。傘１０が開かれると、接続部材２００が第２の端部２２０で補強部材１００を保持する。布地片はまた、接続部材２００を形成する一片の布地としても接続できる。布地片は傘地３０と同じ材料から製造してよい。
【００１２】
非限定的な実施例により、傘１０の大きさに基づき、接続部材２００は傘地３０の外周部３４から約６ｃｍから２０ｃｍの位置で傘地部３５に取り付けてよく、第１の端部２１０は接続部材２００の第２の端部２２０から約４ｃｍから１４ｃｍの位置に取り付けてよい。傘の大きさが大きいほど、接続部材２００の第１の端部２１０と第２の端部２２０との間の距離は大きくなる。布地片はそれぞれが隣接するメインリブ４２から約６ｃｍに配置してよい。
【００１３】
補強部材１００のループの大きさは、傘１０が開かれたときに接続部材２００が補強部材１００によって引っ張られ平坦になるよう、予め決められている。傘地３０は風による上向きの力に逆らってメインリブ４２に反して引っ張られる。補強部材１００はメインリブ４２と関連づけられることで、風による力がメインリブ４２全体にわたって広がり、メインリブ４２が上向きに折れ曲がることに耐える。補強部材１００は、傘１０が開かれた場合に接続部材２００が引っ張られ平坦になり、図４に示すようにシャフト２０に隣接して実質的に直角を形成すると、最も良好に作用する。
【００１４】
傘１０が閉じられると、補強部材１００および接続部材２００がそれらの柔軟な性質により折りたたまれる。補強部材１００は接続部材２００の内側に収容され、リブ４０とのからまりが防止される。
【００１５】
図５、図６、および図７に示すように、他の実施態様では、接続部材３００は第１の端部３１０で傘地部３５の内面３２に互いに一緒に縫い合わされている多数の布地片であってよい。布地片は補強部材１００を受容するための管を形成している。傘１０が開かれると、管状の布片は補強部材１００によって引っ張られて平坦となり、第２の端部３２０で補強部材１００を保持する。
【００１６】
補強部材１００および接続部材２００はリブ構造体を改変せずに、いかなる既存のリブ構造体にも適用できる。
【００１７】
開示された実施態様を参照して本発明を説明してきたが、当該分野の当業者にとって本発明の範囲内でさまざまな改変を行い得ることは明らかである。一般的に、１つの実施態様に関して説明した特徴は、他の実施態様にも適用できることは明らかである。
【図面の簡単な説明】
【００１８】
本発明の上述、および他の側面、特徴、および利点は添付の図面とともに以下の発明の詳細な説明を考慮すればより明白となるであろう。
【図１】本発明の実施態様による傘の斜視図である。
【図２】図１の傘の上面斜視図である。
【図３】図２の傘地部３９の斜視図である。
【図４】図１の傘の断面図である。
【図５】本発明の他の実施態様による傘の斜視図である。
【図６】図５の傘の上面斜視図である。
【図７】図５の傘の断面図である。
【符号の説明】
【００１９】
１０  傘
１００  補強部材
２０  シャフト
２００  接続部材
２１０  第１の端部
２２０  第２の端部
２３０  チャネル
３０  傘地
３２  内面
３４  外周部
３５  傘地部
３００  接続部材
３１０  第１の端部
３２０  第２の端部
４０  リブ
４２  メインリブ
４４  分岐リブ
５０  カラー
【図１】
2007236944.tif 000003
【図２】
2007236944.tif 000004
【図３】
2007236944.tif 000005
【図４】
2007236944.tif 000006
【図５】
2007236944.tif 000007
【図６】
2007236944.tif 000008
【図７】
2007236944.tif 000009